(57)【要約】【課題】電柱の傾き具合を、正確かつ容易に計測する。【解決手段】電柱傾斜角測定器１０は、断面Ｖ字状のガイド部材２１に直交するベース部材２２を有する治具２０を備えた。治具２０のガイド部材２１は断面Ｖ字状であるため、各板部材２１ａ、２１ｂの先端部を電柱１００の外周面に押し付けることで、ガイド部材２１を電柱の軸線と平行に配置でき、ベース部材２２上の水平測定器３０で電柱１００の傾斜角を高精度に測定できる。【選択図】図１
2014016314.tif 000002
【特許請求の範囲】
【請求項１】
一方向に延び、傾斜角の測定対象となる電柱の外周面に押し当てられるガイド部材と、
前記ガイド部材と一体に設けられていて前記ガイド部材が延びる前記一方向に直交する取付面を有したベース部材と、
前記ベース部材の前記取付面上に固定されていて水平面に対する傾斜角度を検出する水平測定器と、
を備えることを特徴とする電柱傾斜測定器。
【請求項２】
前記ガイド部材は、前記一方向に直交する断面形状がＶ字状とされていることを特徴とする請求項１に記載の電柱傾斜測定器。
【請求項３】
一方向に延び、傾斜角の測定対象となる電柱の外周面に押し当てられるガイド部材と、
前記ガイド部材と一体に設けられていて水平面に対する傾斜角度を検出する水平測定器が取り付け可能で前記ガイド部材が延びる前記一方向に直交する取付面を有したベース部材と、を有することを特徴とする電柱傾斜測定器の治具。
【発明の詳細な説明】
【技術分野】
【０００１】
本発明は、電柱の傾斜を計測する電柱傾斜測定器および電柱傾斜測定器の治具に関する。
【背景技術】
【０００２】
周知の通り、電線、電話線等が架け渡されている電柱は、その基端部が地盤中に埋め込まれて立設されている。そして、電柱が不用意に倒れないよう、電柱の基端部は、地盤に十分な深さに掘削された孔に埋め込まれたり、必要に応じて基端部の周囲にコンクリートが打設されている。
それでも、長期間にわたって電柱を使用していると、電柱が傾いてしまうことがある。そこで、作業員が電線の点検等を行うときに目視によって電柱の傾き具合をチェックし、傾きの大きい電柱は建て直すようにしている。
【０００３】
これに対し、例えば、特許文献１に開示されたように、電柱の一本一本に、電柱の傾斜を検知する装置を備える提案もなされている。
しかし、電柱は、膨大な数が設置されており、それらの全てに装置を設けるのは、コスト的に現実的ではない。
そこで、従来通り、作業員の目視による電柱の傾きのチェックが行われているのが実情である。
【先行技術文献】
【特許文献】
【０００４】
【特許文献１】特開２００４−１４７３７４号公報
【発明の概要】
【発明が解決しようとする課題】
【０００５】
しかしながら、作業員が目視によって電柱の傾き具合をチェックし、建て直しの要否を判断していると、建て直しが必要な傾きであるか否かの判断基準が作業員によって相違するため一定しなかった。そのため、本来は建て直しが不要な場合であっても電柱の建て直しが必要と判定されてしまい、無駄な手間とコストがかかってしまうことがあった。
【０００６】
さらに、電柱は断面円形であるため、測定機器自体を電柱に対して正確にセットすること自体が困難である。特に、測定機器自体を電柱の軸線に平行にセットするのは、基準が何もないために難しい。
【０００７】
本発明は、このような実情に鑑みてなされたものであり、電柱の傾き具合を正確にかつ容易に計測することのできる電柱傾斜測定器および電柱傾斜測定器の治具を提供することを目的とする。
【課題を解決するための手段】
【０００８】
本発明は、上記課題を解決するため、以下の手段を採用する。
すなわち、本発明による電柱傾斜測定器は、一方向に延びていて傾斜角の測定対象となる電柱の外周面に押し当てられるガイド部材と、ガイド部材と一体に設けられていてガイド部材が延びる前記一方向に直交する取付面を有したベース部材と、ベース部材の取付面上に固定されていて水平面に対する傾斜角度を検出する水平測定器と、を備えることを特徴とする。
このような電柱傾斜測定器によれば、ガイド部材を、このガイド部材が延びる方向である前記の一方向を電柱の軸線に平行にした状態で電柱の外周面に押し当てると、ベース部材の取付面は、電柱の軸線に直交した状態となる。そして、このベース部材の取付面上に固定された水平測定器により、この取付面の水平面に対する傾斜角度を検出すれば、この取付面に直交するガイド部材、つまり電柱の鉛直方向に対する傾斜角度を検出することができる。
ここで、ガイド部材とベース部材とから形成される治具は、簡易な構成のため、低コストで製造することができる。また、水平測定器には、市販の安価なものを用いることができる。このようにして電柱の傾斜角度を正確かつ容易に低コストで検出できる。
【０００９】
ここで、ガイド部材は、前記の一方向に直交する断面形状がＶ字状とされているのが好ましい。
このＶ字断面のガイド部材を電柱の外周面に押し当てることで、ガイド部材を、このガイド部材が延びる方向である前記の一方向を、電柱の軸線に平行にした状態に容易にセットできる。
【００１０】
また、本発明による電柱傾斜測定器の治具は、一方向に延びていて傾斜角の測定対象となる電柱の外周面に押し当てられるガイド部材と、ガイド部材と一体に設けられていて水平面に対する傾斜角度を検出する水平測定器が取り付け可能でガイド部材が延びる前記一方向に直交する取付面を有したベース部材と、を有することを特徴とする。
このような治具に水平測定器を組み合わせて用いることで、上記と同様の作用効果が得られる。
【発明の効果】
【００１１】
本発明による電柱傾斜測定器によれば、ガイド部材を電柱の外周面に押し当てることで、ベース部材の取付面上に固定された水平測定器により、取付面の水平面に対する傾斜角度を検出できるため、この取付面に直交するガイド部材の鉛直方向に対する傾斜角度、つまり電柱の鉛直方向に対する傾斜角度を簡単且つ容易に検出することができる。
【図面の簡単な説明】
【００１２】
【図１】本発明の実施形態に係る電柱傾斜測定器を電柱に当接させた状態を示す側面図である。
【図２】図１に示す電柱傾斜測定器を電柱に押し当てた状態の平面図である。
【図３】電柱傾斜測定器の治具を示す斜視図である。
【発明を実施するための形態】
【００１３】
以下、添付図面を参照して、本発明による電柱傾斜測定器および電柱傾斜測定器の治具の実施形態を説明する。しかし、本発明はこれらの実施形態のみに限定されるものではない。
図１〜図３に示すように、電柱傾斜角測定器１０は、治具２０と、治具２０にセットされる水平測定器３０とから構成されている。
【００１４】
治具２０は、一方向に延びるガイド部材２１と、ガイド部材２１の一端に、ガイド部材２１が延びる方向に直交する方向に延びるベース部材２２と、が側面視略Ｌ字形状で一体に形成されている。
【００１５】
ガイド部材２１は、その延在方向即ち一方向に直交する断面形状がＶ字状で、例えば同一幅の一方の板部材２１ａと他方の板部材２１ｂとの開き角が例えば９０°の鋼材、いわゆるアングル材を好適に用いることができる。これ以外にも、帯状の板を断面Ｖ字状に折り曲げたものを用いてガイド部材２１を形成しても良い。
【００１６】
ベース部材２２は、ガイド部材２１に対し、一方の板部材２１ａと他方の板部材２１ｂとの交差部側に一端が接合され、ガイド部材２１が延びる前記の一方向に直交し、かつガイド部材２１から離間する方向に延びるよう形成されている。このベース部材２２は、Ｖ字状、板状、ブロック状または管状で、ガイド部材２１が延びる前記の一方向に直交する取付面２２ａを有している。
【００１７】
取付面２２ａに設置する水平測定器３０は、市販のものを用いることができる。一般には、水平測定３０は、設置面３０ａを測定対象物の表面に置くことで設置面３０ａの水平面に対する傾斜角度を測定し、デジタル表示等によって測定結果を出力するものである。
このような水平測定器３０は、ベース部材２２の取付面２２ａ上に、設置面３０ａを載置し、さらに接着剤、ネジ部材、固定ベルト等の固定手段により、ベース部材２２に固定されている。
【００１８】
本実施形態による電柱傾斜角測定器１０は上述の構成を備えており、次に電柱の傾斜角測定方法を説明する。
電柱の傾斜角度を測定するには、図１及び図２に示すように、まず、作業者は、電柱傾斜角測定器１０の治具２０を電柱１００の外周面に押し当てる。このとき、治具２０の断面Ｖ字状のガイド部材２１の板部材２１ａ、２１ｂの各先端部全長を、電柱１００の外周面に押し当てる。
すると、ガイド部材２１は、電柱１００の外周面に沿い、かつ電柱１００の軸線と平行な状態とされる。
【００１９】
この状態で、ガイド部材２１に直交するベース部材２２の取付面２２ａは、電柱１００の軸線に直交した状態となる。
そこで、取付面２２ａ上にセットされた水平測定器３０により、角度測定を行う。このときに検出される角度は、取付面２２ａの水平面に対する傾斜角度であるが、この傾斜角度は、鉛直軸に対するガイド部材２１の傾斜角度に等しい。
【００２０】
このようにして、電柱傾斜角測定器１０によって、電柱１００の傾斜角度を検出することができる。このとき、治具２０のガイド部材２１は断面Ｖ字状であるため、その先端部を電柱１００の外周面に押し当てることで、ガイド部材２１を電柱１００の軸線と平行に配置できる。これにより、電柱１００の傾斜角を高精度に検出することができる。このような電柱傾斜角測定器１０は、治具２０が簡易であるため、低コストに実現することができる。
さらに、断面Ｖ字状のガイド部材２１に直交するベース部材２２を備えているので、このベース部材２２上に市販の水平測定器３０を載せることで電柱１００の傾斜角を測定できる。市販の水平測定器３０を用いることができるので専用の機器を用いる必要がなく、安価に電柱１００の傾斜角を検出することが可能となる。
また、図２に示すように、電柱傾斜角測定器１０は、ガイド部材２１の板部材２１ａ、２１ｂの先端部の間隔よりも直径が太ければ、様々なサイズの電柱１００の傾斜角を測定できるため、汎用性が高く実質的に低コスト化が図れる。
【００２１】
なお、本発明の電柱傾斜測定器および電柱傾斜測定器の治具は、図面を参照して説明した上述の各実施形態に限定されるものではなく、その技術思想を逸脱しない範囲において様々な変形や置換等が考えられる。
例えば、治具２０を構成する材料については適宜選択することが可能である。
また、その材質も何ら限定するものではない。
これ以外にも、本発明の主旨を逸脱しない限り、上記実施の形態で挙げた構成を取捨選択したり、他の構成に適宜変更することが可能である。
【符号の説明】
【００２２】
１０  電柱傾斜角測定器
２０  治具
２１  ガイド部材
２１ａ、２１ｂ  板部材
２２  ベース部材
２２ａ      取付面
３０  水平測定器
３０ａ      設置面
１００      電柱
【図１】
2014016314.tif 000003
【図２】
2014016314.tif 000004
【図３】
2014016314.tif 000005